(57)【要約】【課題】歯科用電子カルテにおけるフリー文書入力に際して、通常の文章と歯式を同じ行に混在するように表示させることができるフリー文書入力方法及びコンピュータプログラムを提供する。【解決手段】フリー文書入力画面２０に編集エリア２１と表示エリア２２とを設け、キーボードから入力された文章と歯式入力用画面から入力された歯式とを編集エリア２１に順次表示し、確定指示入力に伴って、編集エリア２１に表示されている文章を構成する文字フォントのサイズに対して歯式を構成するフォントのサイズを小さくするフォントサイズ調整を実行し、フォントサイズ調整を実行した後の文章と歯式を、１行に混在した状態となるように表示エリア２２に表示する。【選択図】  図２
2004302523.tif 000002
【特許請求の範囲】
【請求項１】
歯科用電子カルテにおけるフリー文書入力方法であって、
フリー文書入力画面に編集エリアと表示エリアとを設け、
キーボードから入力された文章と歯式入力画面から入力された歯式とを前記編集エリアに順次表示し、
確定指示入力に伴って、前記編集エリアに表示されている文章を構成する文字フォントのサイズに対して前記歯式を構成するフォントのサイズを小さくするフォントサイズ調整を実行し、
前記フォントサイズ調整を実行した後の文章と歯式を、１行に混在した状態となるように前記表示エリアに表示する
ことを特徴とする歯科用電子カルテにおけるフリー文書入力方法。
【請求項２】
前記フォントサイズ調整において、前記文章を構成する文字フォントのサイズを増加すると共に、前記歯式を構成するフォントのサイズを減少することを特徴とする
請求項１記載の歯科用電子カルテにおけるフリー文書入力方法。
【請求項３】
歯科用電子カルテシステムを構成するコンピュータにインストールされ実行されるコンピュータプログラムであって、
編集エリアと表示エリアとを有するフリー文書入力画面を表示装置に表示するステップと、
ユーザによる歯式入力の選択に伴って歯式入力のための歯式入力画面を表示装置に表示するステップと、
ユーザによってキーボードから入力された文章と前記歯式入力画面から入力された歯式とを前記編集エリアに順次表示するステップと、
ユーザの確定指示入力に伴って、前記編集エリアに表示されている文章を構成する文字フォントのサイズに対して前記歯式を構成するフォントのサイズを小さくするフォントサイズ調整を実行するステップと、
前記フォントサイズ調整を実行した後の文章と歯式を、１行に混在した状態となるように前記表示エリアに表示するステップと
を有することを特徴とするコンピュータプログラム。
【請求項４】
前記フォントサイズ調整を実行するステップにおいて、前記文章を構成する文字フォントのサイズを増加すると共に、前記歯式を構成するフォントのサイズを減少することを特徴とする
請求項３記載のコンピュータプログラム。
【請求項５】
歯科用電子カルテシステムを構成するコンピュータにインストールされ実行されるコンピュータプログラムが記録されたコンピュータ読み取り可能な記録媒体であって、
請求項３又は４記載のコンピュータプログラムが記録されていることを特徴とする記録媒体。
【発明の詳細な説明】
【０００１】
【発明の属する技術分野】
本発明は、歯科用電子カルテにおけるフリー文書入力方法及びコンピュータプログラムに関する。特に、文章と歯式とを連続してきれいに表示することができるフリー文書入力方法及びコンピュータプログラムに関する。
【０００２】
【従来の技術】
近年、病院や医院において電子カルテが使用されるようになってきている。電子カルテは、診療等に関する記録をコンピュータによって電子的に行うものであり、紙に手書きされる通常のカルテに比べて、情報の加工、検索、共有等の面で優れている。また、通信によって離れた場所へカルテ情報を容易に伝送できる利点もある。
【０００３】
このような電子カルテを実現するシステムの一形態として、通常のパーソナルコンピュータに専用のソフトウェアをインストールして実行させる形態がある。この場合の入力方法は、パーソナルコンピュータに備えられている標準キーボードやマウスのようなポインティングデバイスを用いることになる。通常のワードプロセッサと同様にキーボードを用いて文章を入力し（いわゆるフリー入力）、画面上に表示されたメニューの各種ボタンをマウスでクリックすることにより定型文の入力等を行う。
【０００４】
歯科においても、このような電子カルテが使用されるようになってきている（例えば、特許文献１参照）。歯科用に特化した電子カルテ（医科用電子カルテ）では、歯の部位等を表す歯式の入力が簡単にできるようになっている。歯式では、上下の顎を区別する（境界線である）横線、左右を区別する（正中の境界線である）縦線、配置の順番を表す番号、連続範囲を表す「〜」等を組み合わせて歯の部位を表す。
【０００５】
【特許文献１】
特開平１１−２１３０７５号公報
【０００６】
【発明が解決しようとする課題】
従来の歯科用電子カルテにおいて、通常のワードプロセッサのようにキーボードを用いて文章を入力するフリー入力の際に、文章中に歯式を含ませた場合は文章と歯式とを同じ行に混在させて表示することができなかった。つまり、図７に示すように、文章から歯式に替わる箇所、及び、歯式から文章に替わる箇所で改行が入るようになっていた。
【０００７】
図７は、従来の歯科用電子カルテにおけるフリー入力の表示例を示している。この例では、編集エリア５０に入力された文章や歯式が表示エリア５１に表示され、第１の文章５２と歯式５３と第２の文章５４が３行に分けて表示されている。図７（ａ）の例では歯式５３が２行分の高さで表示されている。歯式５３中の「Ｂｒ」はブリッジを表す略語である。図７（ｂ）の例では、歯式５３が３行分の高さで表示されている。「Ｈｙｓ」は、象牙質知覚過敏症を表す略語である。
【０００８】
上記の例のように、歯式の場合は歯の部位を示すために、数字に加えて横線及び縦線が必要であり、単純には通常の文章の２行分の高さを占める。更に上下の顎の歯を同時に示す場合は、計３行分の高さを占める。このため、通常の文章と歯式とを同じ行に混在させて表示することが難しかった。
【０００９】
しかしながら、文章と歯式が別の行に表示される従来のフリー文書入力方法では、読みやすい自然な文章にならないので、改善が求められていた。
そこで、本発明は、歯科用電子カルテにおけるフリー文書入力に際して、通常の文章と歯式を同じ行に混在するように表示させることができるフリー文書入力方法及びコンピュータプログラムを提供することを目的とする。
【００１０】
【課題を解決するための手段】
本発明による歯科用電子カルテにおけるフリー文書入力方法（請求項１）は、フリー文書入力画面に編集エリアと表示エリアとを設け、キーボードから入力された文章と歯式入力画面から入力された歯式とを前記編集エリアに順次表示し、確定指示入力に伴って、前記編集エリアに表示されている文章を構成する文字フォントのサイズに対して前記歯式を構成するフォントのサイズを小さくするフォントサイズ調整を実行し、前記フォントサイズ調整を実行した後の文章と歯式を、１行に混在した状態となるように前記表示エリアに表示することを特徴とする。
【００１１】
このような構成によれば、キーボードから入力した文章と歯式入力画面から入力した歯式とが自然につながった状態で表示エリアの１行に混在して表示される。その結果、見やすく自然なフリー文書入力（表示）が可能になる。
【００１２】
好ましい実施形態（請求項２）として、前記フォントサイズ調整において、前記文章を構成する文字フォントのサイズを増加すると共に、前記歯式を構成するフォントのサイズを減少する。
【００１３】
また、本発明によるコンピュータプログラム（請求項３）は、歯科用電子カルテシステムを構成するコンピュータにインストールされ実行されるコンピュータプログラムであって、編集エリアと表示エリアとを有するフリー文書入力画面を表示装置に表示するステップと、ユーザによる歯式入力の選択に伴って歯式入力のための歯式入力画面を表示装置に表示するステップと、ユーザによってキーボードから入力された文章と前記歯式入力画面から入力された歯式とを前記編集エリアに順次表示するステップと、ユーザの確定指示入力に伴って、前記編集エリアに表示されている文章を構成する文字フォントのサイズに対して前記歯式を構成するフォントのサイズを小さくするフォントサイズ調整を実行するステップと、前記フォントサイズ調整を実行した後の文章と歯式を、１行に混在した状態となるように前記表示エリアに表示するステップとを有することを特徴とする。
【００１４】
このようなコンピュータプログラムをコンピュータシステムにインストールして実行させることにより、上記のような歯科用電子カルテにおけるフリー文書入力方法を実現し、それによる作用効果を奏することができる。
【００１５】
好ましい実施形態（請求項４）として、前記フォントサイズ調整を実行するステップにおいて、前記文章を構成する文字フォントのサイズを増加すると共に、前記歯式を構成するフォントのサイズを減少する。
【００１６】
また、本発明の記録媒体（請求項５）は、上記のようなコンピュータプログラムが記録されたＣＤ−ＲＯＭのようなコンピュータ読み取り可能な記録媒体である。このような記録媒体から上記コンピュータプログラムをコンピュータにインストールすることによって、本発明の歯科用電子カルテにおけるフリー文書入力方法を実現することができる。
【００１７】
【発明の実施の形態】
以下、本発明の実施形態を図面に基づいて説明する。
図１は、本発明の実施形態に係るフリー文書入力方法を使用した歯科用電子カルテを実現するためのコンピュータシステムの例を示すブロック図である。コンピュータシステム１には、歯科用電子カルテのソフトウェア（コンピュータプログラム）がインストールされ、実行される。歯科用電子カルテのソフトウェアは、例えばＣＤ−ＲＯＭ（光ディスク）のような記録媒体６に記録された状態で供給され、読取装置７を介してコンピュータシステム１の補助記憶装置（ＨＤＤ）１３にインストールされる。
【００１８】
補助記憶装置１３にインストールされた歯科用電子カルテのソフトウェアは主メモリ１２にロードされ、処理装置（ＣＰＵ）１４によって実行される。あるいは、ネットワークに接続されたサーバ等の他のコンピュータからコンピュータシステム１に歯科用電子カルテのソフトウェアをダウンロードしてインストールし、あるいは、ダウンロードしながら実行することも可能である。
【００１９】
コンピュータシステム１は、主メモリ１２、補助記憶装置１３及び処理装置１４の他に、入力処理部１５ａ、表示処理部１６ａ及び通信部１１を備えている。入力処理部１５ａにはキーボード、マウス等の入力装置１５が接続され、表示処理部１６ａにはＣＲＴ（陰極線管）、ＬＣＤ（液晶表示装置）等の表示装置１６が接続されている。通信部１１は、ネットワーク２を介してウェブサーバ３やデータベースサーバ４との通信を行うためのものである。
【００２０】
また、補助記憶装置１３には、オペレーティングシステムや各種アプリケーションプログラム及びデータベースが格納されている。それらの中には、上述のアウトバウンド支援のための歯科用電子カルテのソフトウェアや各種データファイルが含まれている。
【００２１】
次に、歯科用電子カルテのソフトウェアによって実行される処理のうち、フリー文書入力について説明する。
図２は、歯科用電子カルテにおけるフリー文書入力画面の例を示す図である。このフリー文書入力画面２０は、編集エリア２１と表示エリア２２を備えている。編集エリア２１では、通常のワードプロセッサのようにキーボードを用いて文章（文字列）を入力することができる。また、歯式ボタン２４を押下すれば、図３に例示するような歯式入力用画面が現れ、編集エリア２１で歯式を入力することができる。
【００２２】
図３は、歯科用電子カルテにおける歯式入力用画面の例を示す図である。この歯式入力用画面３０において、中央部の領域３１には歯の位置を示す番号（乳歯はアルファベット）の各ボタンが設けられている。その左側には、上顎、下顎、全顎のいずれかを一括指定するためのボタン３２が設けられている。また、上辺及び下辺には、連続する歯をまとめて指定するためのボタン３３が設けられている。また、右上には、歯を１つずつ指定するための「単独」ボタン３４と、まとめて指定するための「一括」ボタン３５がもうけられている。左下には、一旦指定した歯をすべてクリアするための「全クリア」ボタン３６が設けられている。
【００２３】
これらのボタンを用いて歯を指定した後に右下の確定ボタン３７を押下すると、指定された歯の部位を表す歯式が生成され、図２の画面における編集エリア２１に歯式が入力される。図２の画面において、文章ボタン２３を押下すれば歯式入力から文章入力に戻ることができる。
【００２４】
このようにして、図２の画面における編集エリア２１には、文章と歯式が混在したものが表示されるが、この表示は図４に例示するように、非常に見づらいものである。
【００２５】
図４は、図２の画面における編集エリア２１で入力された文章と歯式の例を示す図である。図４（ａ）の例では、右上顎の部位の歯が歯式で指定されており、この歯式は２行分の高さを占めている。なお、「Ｂｒ」はブリッジを表す略語である。図４（ｂ）の例では、上下両方の顎の部位が指定されており、この歯式は３行分の高さを占めている。なお、歯式の縦線及び横線は、一文字単位のフォントデータをつなぐことによって表示される。編集エリア２１に入力され表示された状態では、文章を構成する文字のフォントと歯式を構成するフォントは同じ大きさ（例えば９ポイント）である。
【００２６】
この後、図２の画面において確定ボタン２５を押下すると、文章を構成する文字のフォントと歯式を構成するフォントの大きさの調整が行われ、見やすくされる。例えば、文章を構成する文字のフォントが９ポイントから１０ポイントに増加され、逆に歯式を構成するフォントは９ポイントから７ポイントに減少される。このようにして、文章と歯式が自然につながった状態で表示エリア２２に表示される。
【００２７】
図５は、図４に示した編集エリアで入力された文章と歯式を確定したときに表示エリアに現れる文章と歯式との混在表示の例を示す図である。図４に示した編集エリア２１における表示に比べて、図５に示す表示エリア２２に現れる文章と歯式との混在表示は、文章と歯式が自然につながった状態で１行に表示される。
【００２８】
図６は、本発明の実施形態に係る歯科用電子カルテにおけるフリー文書入力処理の例を示すフローチャートである。ステップ＃１０１において、歯式入力か否かを判断する。前述のように、図２のフリー文書入力画面において歯式ボタン２４が押下（マウスクリック）されれば歯式入力となり、文章ボタン２３が押下されれば文章入力に戻る。
【００２９】
文章入力の場合（ステップ＃１０１のＮｏ）はキーボードを用いて文章が入力され（ステップ＃１０２）、歯式入力の場合（ステップ＃１０１のＹｅｓ）は図３に示した歯式入力用画面を用いて歯式が入力される（ステップ＃１０３）。入力された文章及び歯式は、編集エリア２１に表示される（ステップ＃１０４）。
【００３０】
確定ボタンが押下されると（ステップ＃１０５のＹｅｓ）、次のステップ＃１０６においてフォントの変換、改行位置の決定及びＸＭＬ（ｅｘｔｅｎｓｉｂｌｅ  ｍａｒｋｕｐ  ｌａｎｇｕａｇ）タグの編集が行われる。フォントの変換は、前述のように、例えば文章を構成する文字のフォントを９ポイントから１０ポイントに増加し、歯式を構成するフォントを９ポイントから７ポイントに減少することによって、文章と歯式が自然につながるようにする処理である。改行位置の決定は、フォントの変換に伴って１行当たり表示できる文字数が変わるので、それを調整する処理である。ＸＭＬタグの編集では、文章と歯式との区分やフォントサイズの指定等のための標準のＸＭＬタグを挿入する。
【００３１】
このようにしてＸＭＬデータとして記述された文章と歯式とが混在したテキストが表示エリアに表示される（ステップ＃１０７）。もちろんＸＭＬタグそのものは表示されないが、ＸＭＬタグで指定された文字フォント等の形態で文章及び歯式が表示される。修正がある場合（ステップ＃１０８のＹｅｓ）は、ステップ＃１０１に戻って修正入力が行われる。修正がなくなり、テキストの内容が確定すると、院外連携用データとしての使用か否かがチェックされる（ステップ＃１０９）。
【００３２】
院外連携用データとして使用する場合は、そのままデータの出力が行われる（ステップ＃１１１）。そうでない場合、すなわち電子カルテ用のデータとして使用する場合は、更に医療用として定義されたＸＭＬタグ（ＭＸＭＬタグ）が付加され（ステップ＃１１０）、電子カルテに反映される（ステップ＃１１２）。
【００３３】
以上、本発明の実施形態を説明したが、本発明は上記の実施形態に限らず、種々の形態で実施可能である。実施形態の説明で参照した処理のフローチャートや表示画面は一例に過ぎない。
【００３４】
例えば、上記の実施形態では、文章と歯式とが自然につながった状態で１行に表示させるために、フリー文書入力画面の編集エリアに表示された文章を構成する文字フォントのサイズの増加と歯式を構成するフォントのサイズの減少の両方を実行するが、必ずしも両方を行う必要はない。つまり、文章を構成する文字フォントのサイズの増加のみ、又は歯式を構成するフォントのサイズの減少のみを実行するようにしてもよい。要するに、文章を構成する文字フォントのサイズに対して歯式を構成するフォントのサイズを小さくするようなフォントサイズ調整を実行すればよい。
【００３５】
【発明の効果】
以上に説明したように、本発明の歯科用電子カルテにおけるフリー文書入力方法及びコンピュータプログラムによれば、キーボードから入力した文章と歯式入力画面から入力した歯式とが自然につながった状態で表示エリアの１行に混在して表示される。その結果、見やすく自然なフリー文書入力（表示）が可能になる。
【図面の簡単な説明】
【図１】本発明の実施形態に係るフリー文書入力方法を使用した歯科用電子カルテを実現するためのコンピュータシステムの例を示すブロック図である。
【図２】歯科用電子カルテにおけるフリー文書入力画面の例を示す図である。
【図３】歯科用電子カルテにおける歯式入力用画面の例を示す図である。
【図４】図２の画面における編集エリアで入力された文章と歯式の例を示す図である。
【図５】図４に示した編集エリアで入力された文章と歯式を確定したときに表示エリアに現れる文章と歯式との混在表示の例を示す図である。
【図６】本発明の実施形態に係る歯科用電子カルテにおけるフリー文書入力処理の例を示すフローチャートである。
【図７】従来の歯科用電子カルテにおけるフリー入力の表示例を示す図である。
【符号の説明】
１  コンピュータ
６  記録媒体
７  読取装置
２０  フリー文書入力画面
２１  編集エリア
２２  表示エリア
３０  歯式入力用画面
【図１】
2004302523.tif 000003
【図２】
2004302523.tif 000004
【図３】
2004302523.tif 000005
【図４】
2004302523.tif 000006
【図５】
2004302523.tif 000007
【図６】
2004302523.tif 000008
【図７】
2004302523.tif 000009